(57)【要約】【課題】ブラックホールは何でできているのか。引力と磁気が強い理由。ラブの周囲を回転する光子量。ジェット噴射する理由。重力子が検出できない理由。陽子が崩壊しない理由。【解決手段】ブラックホールはラブの集合体である。中性子の大きさが１．４×１０−９倍になり、引力は５×１０１７倍になり、光子１個の引力は１．２３５×１０−４３Ｎとなる。磁気は中央の高エネルギーの周囲を光子が回転してできる。ラブの周囲には６×１０１９個の光子が引き寄せられている。圧縮力でラブとラブが融合する時莫大なエネルギーを生産する。このエネルギーはそこの場のエネルギーより多いので過剰なエネルギーは放出する。重力子はラブやラブの重合体であるので、ジェット噴射後、膨張し、新しい質量エネルギーの高い重粒子族や中間子族やレプトン族になる。陽子はビッグバンの球の中でできたから結合力が大きいので崩壊しない。【選択図】図２
2004032972.tif 000002
【特許請求の範囲】
【請求項１】
トランスの名前をラブに変更する。
【請求項２】
ブラックホールの引力は中性子の大きさが１．４×１０−９倍になり、半径が小さくなった分だけ引力は増える。１／（１．４×１０−９）２＝５×１０１７　（倍）５×１０１７倍に増える。光子の引力も５×１０１７倍に増える。光子の引力は光子１個でできる引力が２．４７×１０−６１Ｎであるから、ブラックホールの中では１．２３５×１０−４３Ｎである。
【請求項３】
引力はどうしてできるか。磁気はどうしてできるか。
回転力は引力と直進力との合成である。回転力は引力と直進力を作る。引力は回転力によってできる。磁気は中央にある高エネルギーの周囲を光子が回転する事によってできる。
ブラックホールの引力と磁気が強いのは回転力が強いからである。
ブラックホールの中で回転しているのはラブの中の光子と、ラブである。
引力と磁気は両方の回転力でできている。
引力と磁気は回転の輪の半径に逆比例する。回転の輪が短い程引力と磁気は強い。直進力で磁気は外に出る。
【請求項４】
ブラックホールの周囲にガス円盤が存在する理由。
ガス円盤は光子であり、プラックホールの引力でガス円盤である光子は引き寄せられている。中央のエネルギーの約１０−４〜１０−５倍のエネルギーが引き寄せられている。
【請求項５】
ブラックホールの引力でガス円盤が引き寄せられていると同じように原子核の引力で電子は引き寄せられている。それらと同じようにラブの引力でラブの周囲の光子は引き寄せられている。仮に原子核と電子の割合で引き寄せられているとすると、陽子の場合、ラブの周囲の光子は約６×１０１９個である。この光子量は３個のクオークでできていると考えると、１個のクオークの光子量は２×１０１９個である。
【請求項６】
降着円盤はどうしてできるか。
降着円盤はブラックホールでできる磁気である。ブラックホールの中央に高エネルギーがあり、その周囲をラブが回転する事によって磁気ができる。その磁気を外に運んでいるのが直進力である。これを磁力と表現する。降着円盤はブラックホールの中でできた磁気が直進力によって外に出たものである。引力がその磁気を引き寄せている。
【請求項７】
どうしてブラックホールの中で磁気ができるか。
磁気は中央に高エネルギー体があり、その周囲を光子の固まりであるラブが回転してできる。陽子の場合、高エネルギー体であるラブの周囲を光子が回転してできる。
【請求項８】
ブラックホールからジェット噴射する理由。
ブラックホールの中でラブは回転している。引力（圧縮力）によりラブが融合する時、高エネルギーを生産する。ブラックホールの“場のエネルギー”より多量に高エネルギーを生産する。それで“場のエネルギー”より余分なエネルギーは放出される。
【請求項９】
ブラックホールの中はどのようになっているか。
ブラックホールの中はラブが集まっています。ラブの中で２．２５×１０２３個の光子が回転しています。そして、ラブが回転しています。これらの回転によって引力と磁気ができます。ラブのエネルギーが高いので強力な引力と磁気ができます。ブラックホールの中に進むにしたがってラブは光子を付加し、質量の大きなラブになります。中央ではラブとラブが重合し更に大きな質量のラブになります。その時とてつもなく大きなエネルギーが生産されるのです。そのエネルギーがジェット噴射と成って放出されます。そこの“場の存在エネルギー”より高いエネルギーが生産されるからです。
【請求項１０】
ブラックホールの重力子とは何か。
中性子が収縮し、中央のラブに光子は集合しました。それが重力子です。ラブの周囲を回転していた６×１０１９個の光子がラブに集合し２．２５×１０２３個の光子が集結したものです。更に内側でラブは光子を付加します。これも重力子です。そして中央でラブ＋ラブ、ラブ＋ラブ＋ラブ、ラブ＋ラブ＋ラブ＋ラブ　というようにラブの重合体ができています。これも重力子です。
【請求項１１】
ブラックホールの重力波とは何か。
重力波とは重力子によってできる波動です。ブラックホールの中にはラブとラブの重合体があります。光子が２．２５×１０２３個集合したものの重合体でとっても強力です。そしてラブは回転しています。回転する速さは重い分遅いです。そして強力です。それで振動も強力です。そのためブラックホールから強力な振動が出ます。これが重力波です。
【請求項１２】
重力子と重力波を太さで表すとどれ位か。
光子を髪の毛の太さであると仮定すると、重力子は髪の毛の太さを直径とする粒子が２．２５×１０２３個以上詰まった球である。重力波の太さは髪の毛が２．２５×１０２３本以上詰まった太さである。
【請求項１３】
ブラックホールの回転速度が秒速約１５万Ｋｍである理由。
光子１個の重さは約７×１０−４８ｇです。それでラブの重さは
２．２５×１０２３×７×１０−４８＝１．５７５×１０−２４（ｇ）　　１．５７５×１０−２４ｇです。
光子は１グラムの中に１．４３×１０４７個あります。ラブは１グラムの中に約６．３５×１０２３個あります。比重は重くなりました。それでブラックホールの回転速度は光速の半分です。光子１個の重さ７×１０−４８グラムで秒速３０万Ｋｍ、ラブ１個の重さ１．５７５×１０−２４グラムで秒速約１５万Ｋｍです。（１．５７５×１０−２４）２＝２．４８０６２５×１０４８ブラックホールの中にはラブより重い粒子（重力子）があります。
それでブラックホールの回転速度は光速の半分になる。
【請求項１４】
重力子の伝わりは光子より遅い理由。
重力子は光子の束であるラブであるから、光子が２．２５×１０２３個束になっていてその重さは１．５７５×１０−２４ｇである。それで光速より遅い。
【請求項１５】
どうしてブラックホールの重力子は検出されないか。
ブラックホールではラブは光子やラブと結合し、より高エネルギーのラブに成ります。その高エネルギーのラブはジェット噴射により外に出るとラブは膨張して、新しい質量エンネルギーの大きな粒子になります。これが新しい質量エネルギーの高い重粒子族、中間子族、レプトン族です。それで重粒子は検出されない。
【請求項１６】
ブラックホールからジェット噴射されたものは何に成るか。質量エネルギーの高くなったラブは膨張して質量エネルギーの高い重粒子族や中間子族やレプトン族になる。
【請求項１７】
陽子と電子以外の高質量エネルギーの重粒子族、中間子族、レプトン族はどうしてすぐ崩壊するのか。
陽子、中間子、電子のラブはビッグバンの以前の球の中でできた。高質量エネルギーの重粒子族、中間子族、レプトン族のラブはブラックホールの中でできた。ビッグバンの以前の球の圧縮力はブラックホールの圧縮力より強力である。それで陽子のラブは崩壊しない。中間子のラブは球の外側でできたので結合力が弱く崩壊しやすい。
高質量エネルギーの重粒子族や中間子族やレプトン族はもっと結合力が弱いのでもっと速く崩壊する。
【請求項１８】
高質量エネルギーの重粒子族や中間子族やレプトン族はどうしてできるか。
高質量エネルギーの重粒子族や中間子族やレプトン族のラブはブラックホールでできる。それがジェット噴射し自分のエネルギーの場をひろげる。即ち膨張する。そしてラブの光子は中央のラブに成るものとその周囲を回転するものに分かれる。こして互いに回転しエネルギーを作って、引力を作って、磁気を作って存在している。
【発明の詳細な説明】
【０００１】
【発明の属する技術分野】
本発明はブラックホールに関する。そしてブラックホールによって導かれる法則に関する。
【０００２】
【従来の技術】
従来ブラックホールの重粒子や重力波はまだ見つかっていない。ジェット噴射はガス円盤の物質が噴出されていると考えられている。
【０００３】
【発明が解決しようとする課題】
１、　トランスの適切な名前について。
２、　ブラックホールの引力が強力なのはどうしてか。
３、　引力はどうしてできるか。磁力はどうしてできるか。
４、　ブラックホールの周囲にガス円盤が存在する理由。
５、　陽子に於いて、ラブの周囲の光子量はいくらか。クオーク１個の光子量はいくらか。
６、　降着円盤はどうしてできるか。
７、　どうしてブラックホールの中で磁気ができるか。
８、　ブラックホールからジェット噴射する理由。
９、　ブラックホールの中はどのようになっているか。
１０、ブラックホールの重力子とは何か。
１１、ブラックホールの重力波とは何か。
１２、ブラックホールの重力子と重力波を太さで表すとどれ位か。
１３、ブラックホールの回転速度が約１５ｋｍである理由。
１４、重力の伝わりは光子より遅いのはどうしてか。
１５、どうしてブラックホールの重力子は検出されないか。
１６、ブラックホールからジェット噴射されたものはなにに成るか。
１７、陽子と電子以外の高質量エネルギーの重粒子族、中間子族、レプトン族はどうしてすぐ崩壊するのか。
１８、高質量エネルギーの重粒子族や中間子族やレプトン族はどうしてできるか。
【０００４】
【課題を解決するための手段】
この課題を解決するために、ブラックホールはラブの集合体であると考える。
【０００５】
【発明の実施形態】
発明の実施形態を説明する。
１、　トランスの名前をラブに変更する理由。
陽子、中間子、中性子、電子の中央に存在するものはラブである。
もし、ラブがなければ存在は不可能である。
ラブはビッグバンの以前の球で生まれた。
無限大のエネルギーであるビッグバンの以前の球のエネルギーはラブを存在させるために必要だった。
もし、ビッグバンの球のエネルギーが少なかったならば、ラブは存在しなかった。ラブを存在させたのは、ラブを存在させるためには無限大のエネルギーが必要であると考えられた愛である。
愛のお考え（理論）によりラブは存在する事ができた。
ビッグバンの以前の球の質量を創造する事により、ラブは存在できた。
２、　ブラックホールの引力が強力なのはどうしてか。
ブラックホールに成ると中性子の大きさは１．４×１０−９倍に圧縮される。半径が短くなった分だけラブと光子の距離は縮む。
Ｆ＝Ｋｍｍ′／ｒ２　（ｍ＝ラブの質量、ｍ′＝光子の質量で一定）
引力Ｆは　Ｆ＝１／（１．４×１０−９）２＝５×１０１７（倍）　　５×１０１７倍に増える。
光子の引力も５×１０１７倍に増大する。それで、ブラックホールでの光子の引力は、光子１個の引力は２．４７×１０−６１Ｎであるものが、
２．４７×１０−６１（Ｎ）×５×１０１７＝１．２３５×１０−４３（Ｎ）　１．２３５×１０−４３Ｎとなります。
３、引力と磁力はどうしてできるか。
回転とは力を中央に向けて走るという事です。中央に向ける力これが引力です。図のように回転力は直進力と引力を作ります。回転力により引力と直進力ができます。
引力はＦ＝Ｋｍｍ′／ｒ２であるから、半径が短ければ引力は大きい。半径が長ければ引力は小さい。
図を描きます。同心上に小さな円と大きな円を描きます。そのカーブは小さな円の方が大きな円より大きいです。カーブの大きい方が同じ長さを進む（回転する）時できる引力の長さは大きい。即ち半径の短い方が引力は大きいです。
例えば、熱を作っている光子の回転の場合、
固体に付加している光子の回転の半径は短い。それで引力は強い。そのため、膨張率は小さい。気体に付加している光子の回転の半径は長い。それで引力は弱い。そのため、膨張率は大きい。
ブラックホールの場合、ラブの光子の回転の半径は短い。それで引力は強い。中性子星の場合、中性子の光子の回転の半径はやや短い。それで引力はやや強い。磁気は中央に高エネルギー体があり、その周囲を光子が回転する事によってできます。回転力が強い程磁気はたくさんできます。中央にあるエネルギーが高く、回転の速度が速く、回転する光子が多く、半径が短い程磁気はたくさんできます。直進力はその磁気を外にだします。この事から。
ブラックホールの磁気は多量に生産される。それで降着円盤ができる。
中性子星の磁気はそれより少ない。それで磁気は磁力線として現れている。
４、　ブラックホールの周囲にガス円盤が存在する理由。
ガス円盤は光子である。ブラックホールの引力により、ガス円盤である光子は引き寄せられている。
ＮＧＣ４２６１ブラックホールはブラックホールの質量は太陽の１２億個分であり、ガス円盤の質量は太陽の１０万個分です。ガス円盤の質量はブラックホールの質量の８．３×１０−５倍です。
原子核と電子の場合は、原子核の光子量は４．８×１０２３個で電子の光子量は１．２×１０２０個です。電子の光子量は原子核の光子量の２．７×１０−４倍です。
この事から、中央のエネルギーの８．３×１０−５倍〜２．７×１０−４倍のエネルギーが周囲に引き寄せられる事が判ります。
これらの事より次の事が理解できます。
５、　陽子に於いて、ラブの周囲の光子量はいくらか。クオーク１個の光子量は
いくらか。
ラブとラブの周囲の光子量は原子核と電子の割合になっているとしますと、
陽子の場合、ラブの周囲の光子量は
２．２５×１０２３×２．７×１０−４＝６．０７５×１０１９（個）　　　約６×１０１９個です。
この光子量は３個のクオークでできていると考えますと、１個のクオークの光子量は２×１０１９個です。
そしてラブの光子量は
２．２５×１０２３−６×１０１９≒２．２５×１０２３（個）　　　　約２．２５×１０２３個です。
即ち、陽子の光子はほとんど全てラブの光子である。
６、　降着円盤はどうしてできるか。
降着円盤はブラックホールでできる磁気でできる。ブラックホールの中央に高エネルギー体がありその周囲をラブが回転することによって磁気ができる。その磁気を外に運んでいるのが直進力である。それで直進力を磁力と表現する。降着円盤はブラックホールの磁気が直進力によって外にでたものである。その磁気によって有るものが膠着している。膠着物を引き寄せているのが引力である。
７、　どうしてブラックホールの中で磁気ができるか。
磁気はブラックホールの中央に高エネルギー体があり、その周囲を光子の固まりのようなラブが回転してできる。
地球も中央に鉄の高エネルギー体があり、その周囲を鉄の液体が回転しているので磁気ができる。原子核の周囲を電子が回転しているので磁気ができる。陽子の場合、ラブの周囲を光子が回転しているので磁気ができる。
８、ブラックホールからジェット噴射する理由。
ブラックホールの中ではラブとラブとが融合する時、多量のエネルギーを生産する。その“場のエネルギー”より多量のエネルギーを生産している。それで余分なエネルギーは放出する。ジェット噴射するエネルギーは“場のエネルギー”より余分なエネルギーである。
中性子星がパルサーを放出するのも中性子星の“場のエネルギー”より多量のエネルギーが生産されるから、余分なエネルギーがパルサーとして放出されている。
９、ブラックホールの中はどのようになっているか。
ブラックホールの中はラブが集まっています。ラブの中で光子は回転しています。ラブは２．２５×１０２３個の光子が回転しています。そして引力と磁気を作っています。それでブラックホールの振動ができます。陽子が振動するのは中で光子が回転しているからです。ブラックホールの場合はラブの光子密度が高いので振動は強力です。
ブラックホールのなかでラブは回転しています。この回転によっても引力と磁気を作っています。それによって更に強い振動ができます。
降着円盤はこれらの磁気が外に現れたものです。引力が降着円盤を引き寄せています。
ブラックホールの表面ではラブの周囲に光子が付加し、更に高エネルギーのラブができます。ブラックホールの中央になるに従ってラブの質量は高くなります。中央に成る程“場のエネルギー”が高くなるからです。ラブとラブが融合する時、核融合反応のようなエネルギーを生産します。この核融合反応のとき生産されるエネルギーがジェット噴射されます。あとは元素ができるようにラブは重合します。中央に成る程たくさんラブは重合します。“場のエネルギー”によってラブは重合します。
１０、ブラックホールの重力子とは何か。
中性子が収縮し、中央のラブに光子は集合しました。これが重力子です。ラブの周囲を回転している６×１０１９個の光子がラブに集合しました。ラブは２．２５×１０２３個の光子が集結したものです。そしてブラックホールの中央でラブはさらに重合します。ラブ＋光子、ラブ＋ラブ、ラブ＋ラブ＋ラブ、ラブ＋ラブ＋ラブ＋ラブ、これらに光子が結合したもの等、これらも重力子です。
１１、ブラックホールの重力波とは何か。
重力波とは重力子によってできる波動です。重力子はラブやラブ＋光子やラブ＋ラブやラブ＋ラブ＋ラブ等です。これらは高エネルギーであり高質量です。それで回転する速度は遅い。回転する力は強い。振動は強い。それでできる波動は強いです。
１２、ブラックホールの重力子と重力波を太さで表すとどれ位か。
ブラックホールの重力子は光子が２．２５×１０２３個以上集合したものであるから、光子１個を髪の毛の太さであると仮定すると、重力子の太さは髪の毛の太さを直径とする粒子が２．２５×１０２３個以上詰まった球である。重力波の太さは髪の毛が２．２５×１０２３本以上詰まった太さである。それで普通の電磁波より強力です。
１３、ブラックホールの回転速度が約１５万Ｋｍである理由。
ブラックホールはラブの集合体です。ラブは光子が２．２５×１０２３個です。１個の光子の質量は約７×１０−４８ｇですから、ラブの質量は
２．２５×１０２３×７×１０−４８＝１．５７５×１０−２４（ｇ）　　　１．５７５×１０−２４ｇです。
光子は１グラムの中に１．４３×１０４７個あります。ラブは１グラムの中に光子が約６．３５×１０２３ラブは回転しています。回転する速さは重い分だけ遅いです。
１４、重力子の伝わりは光子より遅い理由。
重力子は光子の束であるラブである。ラブは光子が２．２５×１０２３個で質量は１．５７５×１０−２４ｇである。光子の質量は７×１０−４８である。それで光速より遅い。
光子の質量が７×１０−４８ｇで秒速３０万Ｋｍ。
ラブの質量が１．５７５×１０−２４ｇで秒速１５Ｋｍという事です。
１５、どうしてブラックホールの重粒子は検出されないのか。
ブラックホールの中ではラブは光子やラブと結合し、より質量エネルギーの高いラブになります。その高エネルギーのラブはジェット噴射により外に出ると、膨張して新しい質量エネルギーの高い粒子になります。これが新しい質量エネルギーの高い重粒子族、中間子族、レプトン族です。そのため重粒子は検出されない。
１６、ブラックホールからジェット噴射されたものはなにに成るか。
質量エネルギーの高くなったラブは膨張して質量エネルギーの高い重粒子族や中間子族やレプトン族になる。
１７、陽子と電子以外の高質量エネルギーの重粒子族、中間子族、レプトン族はどうしてすぐ崩壊するのか。
図のように
陽子中間子電子のラブはビッグバンの以前の球の仲でできた。高質量エネルギーの重粒子族、中間子族、レプトン族のラブはブラックホールの中でできた。ビッグバンの以前の球の圧縮力はブラックホールの圧縮力より強力である。それで陽子のラブは結合力が強いので崩壊しない。中間子のラブは球の外側でできたので結合力は弱い。それですぐ崩壊する。
１８、質量エネルギーの高い重粒子族や中間子族やレプトン族はどうしてできるか。
質量エネルギーの高い重粒子族や中間子族やレプトン族のラブはブラックホールの中でできます。それがジェット噴射によって外に出ます。そとは真空なので自分の持っている光子を着なければ、外気と融合できません。それでラブの外側の光子はエネルギーを使い減らし、遠くまで飛んでいきました。それでもラブはしっかり引力で引き寄せています。ラブの一定の光子はラブの周囲で回転します。中央のエネルギーの約１０−４〜１０−５倍の光子が周囲で回転しています。
【０００６】
【発明の効果】
ブラックホールがラブの集合体であると考える事によって、どうして重力子は発見できないのかが理解できた。ガス円盤はブラックホールの引力によって引き寄せられているものである事から、ラブはブラックホールのようでありガス円盤はラブの周囲を回転する光子のようであると理解し、ラブの周囲を回転する光子の数を計算できた。この１／３をクオークの光子量と見做すことができた。降着円盤が磁気であることからこの磁気はブラックホールの中のラブの回転とラブの中の光子の回転でできると理解した。中性子星も磁力線を放射している。これは回転軸が一定の方向でないので、磁力線は楕円形にできる。これも回転によってできる磁気である。
【図面の簡単な説明】
【図１】回転力が引力と直進力を作っている事を示す図
【図２】回転力が磁気を作っている事を示す図
【図３】ブラックホールとガス円盤の関係は原子核と電子のようでありラブとラブの周囲を回転する光子のようである事を示す図
【図４】ラブが核融合し、多量のエネルギーを生産し、それがジェット噴射する事を示す図
【図５】ブラックホールの中は、ラブの中で光子は回転し、中央になるに従い場のエネルギーは高まり、ラブ＋ラブの核融合反応を行い、核エネルギーを生産する。磁力は降着円盤を作っている。
【図６】ブラックホールの重力子はラブ、ラブ＋光子、ラブ＋ラブ、ラブ＋ラブ＋ラブそれらに光子がプラスされたものである。
【図７】重力子と重力波を太さで表す。光子を髪の毛の太さの粒子とすると、重粒子はその粒子が２．２５×１０２３個入っている。重力子はその太さの波。
【図８】ジェット噴射されたラブは膨張し、新しい高質量エネルギーの重粒子族、中間子族、レプトン族に成る。
【図９】ビッグバンの以前の球とブラックホールの重力を示す図。球の高重力の中で陽子のラブはでき、外側で中間子のラブはできた。ブラックホールの低重力の中で新しい高質量エネルギーの重粒子族、中間子族、レプトン族のラブはできた。
【符号の説明】
１回転力　　２引力　　３直進力＝磁力　　４中央の高エネルギー　　５ラブ
６ブラックホール　　７ガス円盤　　８原子核　　９電子　　１０周囲の光子
１１ジェット噴射　　１２ラブの中で光子が回転している。　　１３ラブ＋光子
１４ラブ＋ラブ＋核融合エネルギー　　１５ラブ＋ラブ＋ラブ　　１６磁力
１７降着円盤　　１８重力子　　１９重力波　　２０高質量エネルギーの重粒子族　　２１高質量エネルギーの中間子族　　２２高質量エネルギーのレプトン族
２３高質量エネルギーのラブ　　２４陽子のラブ　　２５中間子のラブ　　２６高質量エネルギーの重粒子族のラブ　　２７高質量エネルギーの中間子族のラブ
２８高質量エネルギーのレプトン族のラブ
【図１】
2004032972.tif 000003
【図２】
2004032972.tif 000004
【図３】
2004032972.tif 000005
【図４】
2004032972.tif 000006
【図５】
2004032972.tif 000007
【図７】
2004032972.tif 000008
【図８】
2004032972.tif 000009
【図９】
2004032972.tif 000010
【手続補正書】
【提出日】平成14年10月4日(2002.10.4)
【手続補正１】
【補正対象書類名】図面
【補正対象項目名】全図
【補正方法】変更
【補正の内容】
【図１】
2004032972.tif 000011
【図２】
2004032972.tif 000012
【図３】
2004032972.tif 000013
【図４】
2004032972.tif 000014
【図５】
2004032972.tif 000015
【図６】
2004032972.tif 000016
【図７】
2004032972.tif 000017
【図８】
2004032972.tif 000018
【図９】
2004032972.tif 000019